(57)【特許請求の範囲】
【請求項１】
推進装置を装備する鋼船又は軽合金船において、主船体の外板表面積の９０％以上でかつ１００％以下を占める外板を、２次元曲げ加工で形成可能な面と平面のいずれかの面又は両方の面しか持たず、かつ、船体長手方向に延びる帯状板部材で形成すると共に、
船首バルブの部分に関して、船首部の帯状板部材を追加すると共に、該追加した帯状板部材がビルジ部まで延びていかないように、該追加した帯状板部材と隣接する帯状板部材との間の接合部を点に集約するか、若しくは、該追加した帯状板部材と隣接する帯状板部材との間の接合部が集約する部分に３次元曲げで形成される曲面状の板部材を設けたことを特徴とする鋼船又は軽合金船。
【請求項２】
少なくとも船首又は船尾の一方における満載喫水線下の前記帯状板部材の隣接する相互間の接合部を船体中央部のビルジ部に直接又はほかの接合部を介して接続して構成したことを特徴とする請求項１に記載の鋼船又は軽合金船。
【請求項３】
ビルジ部を３つの平面の平行部の帯状板部材で形成することを特徴とする請求項１又は２に記載の鋼船又は軽合金船。
【請求項４】
平行部の帯状板部材の個数を両舷で７個以上１３個以下とすることを特徴とする請求項１〜３のいずれか１項に記載の鋼船又は軽合金船。
【請求項５】
船首側の帯状板部材の個数を両舷で９個以上１７個以下とすることを特徴とする請求項１〜４のいずれか１項に鋼船又は軽合金船。
【請求項６】
船尾側の帯状板部材の個数を両舷で１３個以上２１個以下とすることを特徴とする請求項１〜５のいずれか１項に鋼船又は軽合金船。
【請求項７】
船尾のスタンチューブ周りに関して、船尾のスタンチューブ周りの形状を作るための帯状板部材を、平行部まで延ばすか、もしくは、前記平行部より船尾側の部位で、点に集約して、当該帯状板部材を閉じるか、若しくは、当該帯状板部材の接合部が集約する部分に３次元曲げで形成される曲面状の板部材を設けたことを特徴とする請求項１〜６のいずれか１項に記載の鋼船又は軽合金船。
【請求項８】
船体平行部を平面の面しか持たない前記帯状板部材で形成し、ビルジ部分の横断面形状を多角形形状としたことを特徴とする請求項１〜７のいずれか１項に記載の鋼船又は軽合金船。
【請求項９】
船体を正面線図で見て、それぞれの前記帯状板部材の船体長手方向に垂直な断面が船体前後方向にわたって、その帯状板部材で平行になることを特徴とする請求項１〜８のいずれか１項に記載の鋼船又は軽合金船。
【発明の詳細な説明】
【技術分野】
【０００１】
本発明は、鋼船又は軽合金船の外板表面の板部材の加工において熟練技術者によるぎょう鉄作業やプレス加工作業等の工数を著しく少なくすることができる鋼船又は軽合金船に関する。
【背景技術】
【０００２】
従来の船舶では、その外形を形成する外板部分は、特に平行部と呼ばれる船の平行な部分（横断面の外形状が同じ部分）以外の船首部や船尾部の外板部分は、複雑な３次元曲げの形状をして、この部分は、平面に展開することができない非可展面が多く使用されているため、この非可展面を平板から制作するためには、熟練作業者によるぎょう鉄作業やプレス加工作業が必要不可欠になっている。そのため、多数の加工時間を必要とし、また、加工精度の管理も困難で、熟練作業者を必要としていた。
【０００３】
この船体の曲げ加工が多い部分の加工を容易にするために、船体の船首端付近と船尾端付近のいずれか一方又は双方の外板にナックルを設け、かつ、該ナックルから船体中心線で交わる船首端と船尾端にかけて直線状に加工した外板を配し、尖鋭形状の船首部及び船尾部とした船体形状が提案されている（例えば、特許文献１参照）。
【０００４】
しかしながら、この船体形状では、船体形状が著しく限定された船体形状になってしまい、造波抵抗減少のための船首バルブの形状を取り入れることができず、船体の推進性能面に大きな悪影響が発生するという問題がある。
【０００５】
また、船首部において、ナックルラインの間を垂直なフレームラインとなる船型とし、船首バルブ付き船舶の船首材及び船体前半部の外板の３次元曲げを少なくして加工の手間を少なくし、建造コストを低くすると共に、仕上がり精度が良い船型の船首バルブ付き船舶が提案されている（例えば、特許文献２参照）。
【０００６】
しかしながら、この船舶では、船体の一部分が２次元曲げ加工で済むという利点があるが、船首バルブ及びその近傍や船底部分の３次元曲げが多く、熟練したぎょう鉄作業又は３次元プレス加工を必要とする部分はそのままであるという問題がある。また、建造のし易さに主眼を置いているので、推進性能などの船舶の性能面に悪影響が生じるという問題がある。
【先行技術文献】
【特許文献】
【０００７】
【特許文献１】実開平５−９２０９０号公報
【特許文献２】特開平８−２３９０８２号公報
【発明の概要】
【発明が解決しようとする課題】
【０００８】
本発明は、上述の状況を鑑みてなされたものであり、その目的は、鋼船又は軽合金船の推進性能の低下を抑制しながら、外板表面の板部材の加工において熟練技術者によるぎょう鉄作業やプレス加工作業等の工数を著しく少なくすることができる鋼船又は軽合金船を提供することにある。
【課題を解決するための手段】
【０００９】
上記の目的を達成するための本発明の鋼船又は軽合金船は、推進装置を装備する鋼船又は軽合金船において、主船体の外板表面積の９０％以上でかつ１００％以下を占める外板を、２次元曲げ加工で形成可能な面と平面のいずれかの面又は両方の面しか持たず、かつ、船体長手方向に延びる帯状板部材で形成すると共に、船首バルブの部分に関して、船首部の帯状板部材を追加すると共に、該追加した帯状板部材がビルジ部まで延びていかないように、該追加した帯状板部材と隣接する帯状板部材との間の接合部を点に集約するか、若しくは、該追加した帯状板部材と隣接する帯状板部材との間の接合部が集約する部分に３次元曲げで形成される曲面状の板部材を設けて構成する。なお、鋼船又は軽合金船という意味は木造船等を除くという意味であり、また、主船体の外板表面積においては、フィンやダクト等の省エネルギー用の付加物、舵、スタンチューブ、２軸船のストラット等を除外するものとする。
【００１０】
２次元曲げ加工で形成可能な面と平面のいずれかの面又は両方の面しか持たない帯状板部材で外板表面の殆どを占めることにより、従来船では多大な時間と特殊技術者を要していた３次元曲げのぎょう鉄作業やプレス作業を著しく減少又は省略することができる。言い換えれば、平面及び２次元曲げ加工のみで形成できる帯状板部材で外板の殆どの部分を構成するので、特殊な技術や工作機械を必要としなくなる。なお、帯状板部材の占める割合を船体の外板表面積の９０％未満とすると、３次曲げを必要とする面が残り、ぎょう鉄作業やプレス作業の減少効果が少なく、性能悪化の影響が大きくなり、この構成にするメリットが減少する。
【００１１】
これにより、船舶のブロック建造に際しての外板ブロックの制作が、平板を切断して２次元的に曲げる加工だけとなるので、熟練した技術者や特殊な機器は必要なく、平板切り出し用機器と曲げ用ローラーがあればどこでも外板ブロック（船舶のパーツ）を製作することが可能となる。その結果、造船所における工程管理が容易となり、また、作業の開始から終了までの期間であるリードタイムの圧縮が期待できるようになり、安い建造コストを実現して廉価な船舶を提供できるようになる。
【００１２】
また、船体の外板を船体長手方向に延びる帯状板部材で形成することにより、対象とする船体形状に対して、元々の複雑な曲面で構成された船体形状を、帯状板部材の集合体に置き替える作業が単純化する。その上、船体表面の流れは船体長手方向に沿って流れることが多いので、船体長手方向に延びる帯状板部材で形成するとこの流れを乱すことが少なくなり、推進性能の低下を抑制することができる。また、船首バルブ形状を容易に形成することができ、船首バルブの効果を得ることができる。
【００１３】
上記の鋼船又は軽合金船において、満載喫水線より下の外板表面の９０％以上でかつ１００％以下を占める外板を、前記帯状板部材で形成すると、従来船において比較的曲げ加工が多い外板部分を帯状板部材で形成することになるので、加工工数の低減効果が大きくなる。なお、帯状板部材の占める割合を船体の満載喫水線より下の外板表面積の９０％未満とすると、３次曲げを必要とする面が多く残り、ぎょう鉄作業やプレス作業の減少効果が少なく、性能悪化の影響が大きくなり、この構成にするメリットが減少する。
【００１４】
上記の鋼船又は軽合金船において、少なくとも船首又は船尾の一方における満載喫水線下の前記帯状板部材の隣接する相互間の接合部（ナックル）において、隣接する前記帯状板部材が船体横断面内でなす角度（ナックル角）を９０度より大きく２７０度未満とすると、接合部を跨ぐときのナックル角の角度が小さくなり、より抵抗増加を抑えることができる。なお、ナックル角を９０度以下又は２７０度以上とすると、接合部（ナックル部）で流れが屈折する角度が急になり抵抗増加の抑制が不十分となる。
【００１５】
上記の鋼船又は軽合金船において、少なくとも船首又は船尾の一方における満載喫水線下の前記帯状板部材の隣接する相互間の接合部を船体中央部のビルジ部に直接又はほかの接合部を介して接続して構成すると、帯状板部材の接合部（ナックル）をビルジ部に収束させることにより、この接合部を流線が跨ぐときの角度を小さくするように構成することができ、抵抗増加を抑えることができるので、推進性能の悪化を極力避けることができる。この構成により、平面や円筒面等の単純な面の切り貼り構造（単純な面パッチの組み合わせ構造）に比べて抵抗増加を少なくすることができる。
【００１６】
従って、３次元曲げの曲面を持つ従来船の優れた性能を有する船舶に対しても、性能の劣化を防止しながら、その外板表面を容易に帯状板部材の集合体で近似できるようになる。
【００１７】
上記の鋼船又は軽合金船において、満載喫水線より下で、かつ、船首端の位置と船首垂線から垂線間長の０．１倍の距離後方の位置との間において、船体の外板表面の５０％以上でかつ１００％以下を占める外板を、前記帯状板部材で形成すると、従来船において、特に複雑な曲げ加工を必要とする、船首バルブ等を持つ船首部分の外板部分を帯状板部材で形成することになるので、加工工数の低減効果が著しく大きくなる。なお、帯状板部材の占める割合を船首側部分の外板表面積の５０％未満とすると、３次曲げを必要とする面が残り、ぎょう鉄作業やプレス作業の減少効果が少なく、性能悪化の影響が大きくなり、この構成にするメリットが減少する。
【００１９】
上記の鋼船又は軽合金船において、満載喫水線より下で、かつ、船尾端の位置と船尾垂線から垂線間長の０．１倍の距離前方の位置との間において、外板表面の５０％以上でかつ１００％以下を占める外板を、前記帯状板部材で形成すると、従来船において、船首部分の次に、曲げ加工を必要とする船尾部分の外板部分を帯状板部材で形成することになるので、加工工数の低減効果が著しく大きくなる。なお、帯状板部材の占める割合を船尾側部分の外板表面積の５０％未満とすると、３次曲げを必要とする面が残り、ぎょう鉄作業やプレス作業の減少効果が少なく、性能悪化の影響が大きくなり、この構成にするメリットが減少する。
【００２０】
上記の鋼船又は軽合金船において、船尾のスタンチューブ周りに関して、船尾のスタンチューブ周りの形状を作るための帯状板部材を、平行部まで延ばすか、もしくは、前記平行部より船尾側の部位で、点に集約して、当該帯状板部材を閉じるか、若しくは、当該帯状板部材の接合部が集約する部分に３次元曲げで形成される曲面状の板部材を設けると、これにより、推進器への水の流れをもともとの船型における３次元曲げで構成された形状の特徴を、この船舶の船型でも反映することが可能となる。
【００２１】
上記の鋼船又は軽合金船において、船体平行部を平面の面しか持たない前記帯状板部材で形成し、ビルジ部分の横断面形状を多角形形状とすると、従来技術では横断面形状が円弧形状で、曲げ加工が必要であった部分を平面の集合体で形成できるので、板部材の切断と溶接のみで制作できるようになり、曲げ加工及び曲げ加工用の設備が不要となる。この船体平行部が船体に占める割合は、船速が遅くてもよいタンカー船等の大型肥大船では非常に大きいので、著しく加工工数を減少できる。
【００２２】
上記の鋼船又は軽合金船において、船体を正面線図で見て、それぞれの前記帯状板部材の船体長手方向に垂直な断面が船体前後方向にわたって、その帯状板部材で平行になるようにすると、つまり、船体の正面から見たときのそれぞれの帯状板部材における横断面の傾斜が一定となるようにすると、これにより、対象とする船体形状に対して、元々の複雑な曲面で構成された船体形状を、帯状板部材の集合体に置き替える作業がより単純化する。
【発明の効果】
【００２３】
本発明の鋼船又は軽合金船によれば、鋼船又は軽合金船の船舶の推進性能の低下を抑制しながら、外板表面の板部材の加工において熟練技術者によるぎょう鉄作業やプレス加工作業等の工数を著しく少なくすることができる。
【図面の簡単な説明】
【００２４】
【図１】本発明に係る実施の形態の鋼船又は軽合金船の船舶における外板表面を帯状板部材の集合体で形成した構成の例を示す船体の側面図である。
【図２】図１の船体の底面図である。
【図３】図１の船体の船首側の構成を示す船体の正面図である。
【図４】図１の船体の船首側の構成を示す部分斜視図である。
【図５】図１の船体の船尾側の構成を示す船体の背面図である。
【図６】図１の船体の船尾側の構成を示す部分斜視図である。
【発明を実施するための形態】
【００２５】
以下、図面を参照して本発明に係る実施の形態の鋼船又は軽合金船（以下船舶という）について説明する。本発明を適用する対象の船舶は、推進装置を装備する鋼船又は軽合金船であり、好ましくは、計画航海速力がフルード数で０．１〜０．５である。つまり、観光船等の旅客船や、フェリー等の連絡船や、タンカー、液化ガス船、ケミカル船、ばら積み運搬船、鉱石運搬船、自動車運搬船、コンテナ船等の貨物船や、自衛艦等の艦船や、巡視船や、消防艇や海洋調査船等の特殊船を含む船舶を対象とし、形状がシンプルな滑走艇等や木造船等を対象から除いている。
【００２６】
なお、フルード数とは速力をＶとし、船の垂線間長をＬｐｐとし、重力加速度をｇとした場合に、Ｆｎ＝ＳＱＲＴ（（Ｖ×Ｖ）／（ｇ×Ｌｐｐ））となる無次元数であり、速度を無次元表示で表す時に、造船界でよく用いられる表現である。このフルード数は、例えば、比較的低速のタンカー船では、０．１５程度で、比較的高速のコンテナ船では、０．２６〜０．２８程度である。
【００２７】
そして、本発明の効果が大きく得られるのは、主に外洋を計画する速力で効率的に運航されることが求められる一般商船である。計画航海速力としては、一般商船では、フルード数は、０．１３〜０．３０に設定されることが多く、それらの船舶に対して特に効果が期待される。また、一般商船の場合、平行部を除く船首部・船尾部では、複雑な曲面が多用されており、本発明の複雑な曲げ加工作業の低減効果も多く期待される。そのため、特に、比較的低速のフルード数が０．１３〜０．３０の船にとって、抵抗増加と建造コストの関係から、本発明が有効である。
【００２８】
図１〜図６に示すように、本発明に係る実施の形態の船舶１０においては、主船体の外板表面積の９０％以上でかつ１００％以下を占める外板を、２次元曲げ加工で形成可能な面と平面のいずれかの面又は両方の面しか持たず、かつ、船体長手方向に延びる帯状板部材で形成して構成する。
【００２９】
つまり、外板表面の殆どを、２次元曲げ加工で形成可能な面と平面のいずれか面又は両方の面しか持たず、かつ、船体長手方向に延びる帯状板部材２１〜２６、３１〜３５、４１〜５０の集合体で形成する。この帯状板部材２１〜２６、３１〜３５、４１〜５０は、平面か、ローラー曲げ加工で形成可能な面であり、３次元曲げのぎょう鉄作業やプレス作業を必要とせずに制作できるものである。
【００３０】
この外板表面の面積には、フィンやダクト等の省エネルギー用の付加物、舵、スタンチューブ、２軸船のストラット等を含めない。なお、帯状板部材２１〜２６、３１〜３５、４１〜５０の占める割合を船体の外板表面積の９０％未満とすると、３次曲げを必要とする面が残り、ぎょう鉄作業やプレス作業の減少効果が少なく、性能悪化の影響が大きくなり、この構成にするメリットが減少する。
【００３１】
この構成によれば、２次元曲げ加工で形成可能な面と平面のいずれか面又は両方の面しか持たない帯状板部材２１〜２６、３１〜３５、４１〜５０で外板表面の殆どを占めることにより、従来船では多大な時間と特殊技術者を要していた３次元曲げのぎょう鉄作業やプレス作業を著しく減少又は省略することができる。言い換えれば、平面及び２次元曲げ加工のみで形成できる帯状板部材２１〜２６、３１〜３５、４１〜５０で外板の殆どの部分を構成するので、特殊な技術や工作機械を必要としなくなる。
【００３２】
これにより、船舶のブロック建造に際しての外板ブロックの制作が、平板を切断して２次元的に曲げる加工だけとなるので、熟練した技術者や特殊な機器は必要なく、平板切り出し用機器と曲げ用ローラーがあればどこでも外板ブロック（船舶のパーツ）を製作することが可能となる。その結果、造船所における工程管理が容易となり、また、作業の開始から終了までの期間であるリードタイムの圧縮が期待できるようになり、安い建造コストを実現して廉価な船舶を提供できるようになる。
【００３３】
その上、船体表面の流れは船体長手方向に沿って流れることが多いので、船体長手方向に延びる帯状板部材で形成するとこの流れを乱すことが少なくなり、推進性能の低下を抑制することができる。
【００３４】
更に、満載喫水線Ｗ．Ｌ．より下の外板に３次曲面が多いので、満載喫水線Ｗ．Ｌ．より下の外板表面の９０％以上でかつ１００％以下を占める外板を帯状板部材２２〜２７、３１〜３５、４１〜５０の集合体で構成することが好ましい。この構成にすると、従来船において比較的曲げ加工が多い外板部分を帯状板部材２２〜２７、３１〜３５、４１〜５０で形成することになるので、加工工数の低減効果が大きくなる。なお、帯状板部材の占める割合を船体の満載喫水線Ｗ．Ｌ．より下の外板表面積の９０％未満とすると、３次曲げを必要とする面が残り、ぎょう鉄作業やプレス作業の減少効果が少なく、性能悪化の影響が大きくなり、この構成にするメリットが減少する。
【００３５】
また、少なくとも船首又は船尾の一方（この実施の形態では両方）における満載喫水線Ｗ．Ｌ．下の帯状板部材２２〜２７、４３〜５０の隣接する相互間の接合部（ナックル）のうちの好ましくは８０％以上でかつ１００％以下の接合部において、隣接する帯状板部材２２〜２７、４３〜５０が船体横断面内でなす角度（ナックル角）（図３及び図５に示すα）を９０度より大きく２７０度未満とすると、接合部を跨ぐときの角度が小さくなり、より抵抗増加を抑えることができる。なお、ナックル角を９０度以下又は２７０度以上とすると、接合部（ナックル部）で流れが屈折する角度が急になり抵抗増加の抑制が不十分となる。また、更なる抵抗低減効果のために、ナックル角は１３０度以上２３０度以下の範囲にあることが望ましい。一方で、ナックル角を１７０度以上１９０度以内とすると、帯状板部材の分割数が増え、工数が増加し、メリットが少なくなる。
【００３６】
更に、少なくとも船首又は船尾の一方（この実施の形態では両方）における満載喫水線Ｗ．Ｌ．下の帯状板部材２２〜２７、４３〜５０の隣接する相互間の接合部（ナックル）の好ましくは８０％以上でかつ１００％以下を船体中央部３０のビルジ部３２〜３５に直接又はほかの接合部を介して接続して構成する。これにより、帯状板部材２２〜２７、４３〜５０の接合部をビルジ部３２〜３５に収束させて、この接合部を流線が跨ぐときの角度を小さくするように構成することができるので、抵抗増加を抑えることができ、推進性能の悪化を極力避けることができる。この構成により、平面や円筒面等の単純な面の切り貼り構造（単純な面パッチの組み合わせ構造）に比べて抵抗増加を少なくすることができる。
【００３７】
従って、３次元曲げの曲面を持つ従来船の優れた性能を有する船舶に対しても、性能の劣化を防止しながら、その外板表面を容易に帯状板部材の集合体で近似できるようになる。
【００３８】
また、図３及び図５に示す点線のように、帯状板部材２１〜２７、４１〜５０の２次元曲げ加工で形成可能な面の曲げの軸を、船体横断面内にあり、かつ、平行であるように形成すると、つまり、軸を示す点線が、同一の帯状板部材２１〜２７、４１〜５０内で平行になるように形成すると、対象とする船体形状に対して、元々の複雑な曲面で構成された船体形状を、帯状板部材２１〜２７、４１〜５０の集合体に置き替える作業がより単純化する。これにより、船体を正面線図で見て、各帯状板部材２１〜２７、４１〜５０の船体長手方向に垂直な断面が船体前後方向にわたってそれぞれ平行になる。つまり、船体の正面から見たときのそれぞれの帯状板部材２１〜２７、４１〜５０における横断面の傾斜βが一定となる。
【００３９】
また、船首側の満載喫水線Ｗ．Ｌ．より上方は、船首フレア等比較的単純な形状が多いが、船首側の満載喫水線Ｗ．Ｌ．より下方の外板に関して、従来技術では３次元曲げの曲面が使用されることが多いので、満載喫水線Ｗ．Ｌ．より下で、かつ、船首端の位置と船首垂線から垂線間長の０．１倍の距離後方の位置との間において、船体の外板表面の５０％以上でかつ１００％以下を占める外板を、帯状板部材２２〜２７で形成することが好ましく、例えば、図３及び図４に示すように、船首側の帯状板部材２２〜２７で形成する。なお、帯状板部材の占める割合を船首側部分の外板表面積の５０％未満とすると、３次曲げを必要とする面が残り、ぎょう鉄作業やプレス作業の減少効果が少なく、性能悪化の影響が大きくなり、この構成にするメリットが減少する。
【００４０】
より詳細には、船首フレア部分を船首側の帯状板部材２１で形成し、その下のナックルラインから下を船首側の帯状板部材２２で形成する。また、船首バルブの上面を船首側の帯状板部材２３、側面を船首側の帯状板部材２２から分岐した帯状部材２２ａと船首側の帯状板部材２４、２５で、更に下面を船首側の帯状板部材２６で形成する。そして、底面を船首側の帯状板部材２７で形成する。この船首側の帯状板部材２７の前端近傍部分は上方に曲げられている。
【００４１】
また、船首バルブに関しては、船首部の帯状板部材２３を追加することで、船首バルブを設けることが容易にできるようになる。この場合、この帯状板部材２３がビルジ部まで延びていかないように、隣接する帯状板部材２２、２４との接合部（ナックル）のラインを点に集約したり、若しくは、接合部のラインが集約する部分に３次元曲げで形成される曲面状の板部材を設けたりする。これにより、船首バルブ形状を容易に形成することができ、船首バルブの効果を得ることができる。
【００４２】
この側面を形成する船首側の帯状板部材２４、２５と下面を形成する船首側の帯状板部材２６は船体平行部３０のビルジ部を形成する平行部の帯状板部材３２、３３、３４にそれぞれ接続する。また、底面を形成する船首側の帯状板部材２７は、船体平行部３０の底面を形成する平行部の帯状板部材３５に接続する。これにより、帯状板部材２４、２５、２６の接合部（ナックル）をビルジ部３２、３３、３４に収束させて、この接合部を流線が跨ぐときの角度を小さくするように構成する。
【００４３】
この船首側の帯状板部材２１〜２７の個数は、この実施の形態の船舶１０では両舷で１３個であるが、９個以上１７個以下が好ましい。９個未満であると形状が単純化し、船舶の性能が低下する恐れが生じ、１７個より多いと接合部分が多くなり、建造工数が増加する。
【００４４】
この船首側は、従来船において、特に複雑な曲げ加工を必要とする船首バルブ等を持っていることが多く、この船首部分の外板部分を帯状板部材２１〜２７で形成することになるので、加工工数の低減効果が著しく大きくなる。
【００４５】
そして、図１〜図６に示すように、横断面が同じ船体平行部３０を平面の面しか持たない平行部の帯状板部材３１〜３５で形成し、ビルジ部分の横断面形状を多角形形状とする。垂直な船体側面を平行部の帯状板部材３１で形成し、船底を平行部の帯状板部材３５で形成する。この平行部の帯状板部材３１と平行部の帯状板部材３５の間のビルジ部を３枚の平行部の帯状板部材３２、３３、３４で形成する。つまり、四半円部分を３つの平面の平行部の帯状板部材３２、３３、３４で形成する。横断面において、３辺の長さを同じにすると、３枚の平行部の帯状板部材３２、３３、３４は同じ寸法となるので、板取や板の切り出しが容易となる。
【００４６】
この平行部の帯状板部材３１〜３５の個数は、この実施の形態の船舶１０では両舷で９個であるが、７個以上１３個以下が好ましい。７個未満であると形状が単純化し、船舶の性能が低下する恐れが生じ、１３個より多いと接合部分が多くなり、建造工数が増加する。
【００４７】
この構成によれば、従来技術では横断面形状のビルジ部が円弧形状で、曲げ加工が必要であった部分を平面の集合体で形成できるので、板部材の切断と溶接のみで制作できるようになり、曲げ加工及び曲げ加工用の設備が不要となる。この船体平行部が船体に占める割合は、船速が遅くてもよいタンカー船等の大型肥大船では非常に大きいので、著しく加工工数を減少できる。
【００４８】
また、船尾側の満載喫水線Ｗ．Ｌ．より上方は比較的単純な形状が多いが、船尾側の満載喫水線Ｗ．Ｌ．より下方の外板に関して、従来技術では３次元曲げの曲面が使用されることが多いので、満載喫水線Ｗ．Ｌ．より下で、かつ、船尾端の位置と船尾垂線から垂線間長の０．１倍の距離前方の位置との間において、船体の外板表面の５０％以上でかつ１００％以下を占める外板を、帯状板部材で形成することが好ましく、例えば、図５及び図６に示すように、船尾側の帯状板部材４１〜５０で形成する。なお、帯状板部材の占める割合を船尾側部分の外板表面積の５０％未満とすると、３次曲げを必要とする面が残り、ぎょう鉄作業やプレス作業の減少効果が少なく、性能悪化の影響が大きくなり、この構成にするメリットが減少する。
【００４９】
より詳細には、船尾側面を船尾側の帯状板部材４１で形成し、船尾端部で平面形状が多いトランサムを船尾側の帯状板部材４２で形成する。そして、上側の船底側部を船尾側の帯状板部材４３、４４、４５で形成し、下側の船底側部を船尾側の帯状板部材４６、４７、４８、４９で形成し、船底を船尾側の帯状板部材５０で形成する。
【００５０】
この側面を形成する平面の船尾側の帯状板部材４１はトランサムを形成する船尾側の帯状板部材４２に接続する。また、上側の船底側部を形成する船尾側の帯状板部材４３、４４、４５もトランサムを形成する船尾側の帯状板部材４２に接続する。一方、下側の船底側部を形成する船尾側の帯状板部材４６、４７、４８、４９は左舷側の部材と右舷側の部材が互いに接続して船尾端を形成している。この船尾端にプロペラ軸が挿入されるスタンチューブ（図示しない）が設けられる。
【００５１】
また、この船尾のスタンチューブ周りの形状を作るために、帯状板部材４６、４７、４８を設けるが、この帯状板部材４６、４７、４８を、図５及び図６の構成では平行部３０まで延ばしているが、その手前（船尾側）の適当なところで、点に集約し、帯状板部材を閉じてもよい。また、帯状板部材の接合部のラインが集約する部分に３次元曲げで形成される曲面状の板部材を設けてもよい。これにより、推進器への水の流れをもともとの船型における３次元曲げで構成された形状の特徴を、この船舶１０の船型でも反映することが可能となる。
【００５２】
一方、船尾部４０と船体平行部３０との接続に関しては、図６に示すように、船尾側面を形成する船尾側の帯状板部材４１が船体平行部３０の側面を形成する平行部の帯状板部材３１に接続し、上側の船底側部を形成する船尾側の帯状板部材４３、４４と、下側の船底側部を形成する船尾側の帯状板部材４９は船体平行部３０のビルジ部を形成する平行部の帯状板部材３２、３３、３４にそれぞれ接続する。また、底面を形成する船尾側の帯状板部材５０は、船体平行部３０の底面を形成する平行部の帯状板部材３５に接続する。
【００５３】
なお、上側の船底側部を形成する船尾側の帯状板部材４５と、下側の船底側部を形成する船尾側の帯状板部材４６、４７、４８は、船尾側の帯状板部材４４と船尾側の帯状板部材４９との間で船首側に行くにつれて細くなり一点になる。
【００５４】
これにより、帯状板部材４２〜４９の接合部（ナックル）をビルジ部３２、３３、３４に収束させて、この接合部を流線が跨ぐときの角度を小さくするように構成する。
【００５５】
この船尾側の帯状板部材４１〜５０の個数は、この実施の形態の船舶１０では両舷で１７個であるが、１３個以上２１個以下が好ましい。１３個未満であると形状が単純化し、船舶の性能が低下する恐れが生じ、２１個より多いと接合部分が多くなり、建造工数が増加する。
【００５６】
この船尾側は、従来船において、船首部分の次に、曲げ加工を必要とする複雑な船尾形状をしていることが多く、この船尾部分の外板部分を船尾側の帯状板部材４１〜５０で形成することになるので、加工工数の低減効果が著しく大きくなる。
【００５７】
従って、上記の構成の船舶１０によれば、３次元曲げの曲面を持つ従来船の優れた性能を有する船舶に対しても、性能の劣化を抑制しながら、その外板表面を容易に帯状板部材２１〜２７、３１〜３５、４１〜５０の集合体で近似できるようになる。
【００５８】
そして、船舶１０の推進性能の低下を抑制しながら、外板表面の板部材の加工において熟練技術者によるぎょう鉄作業やプレス加工作業等の工数を著しく少なくすることができる。
【産業上の利用可能性】
【００５９】
本発明の鋼船又は軽合金船によれば、鋼船の推進性能の低下を抑制しながら、鋼船の外板表面の板部材の加工において熟練技術者によるぎょう鉄作業やプレス加工作業等の工数を著しく少なくすることができるので、多くの船舶として利用できる。
【符号の説明】
【００６０】
１０  船舶（鋼船又は軽合金船）
２０  船首側部分
２１〜２７  船首側の帯状板部材
３０  船体平行部
３１〜３５  平行部の帯状板部材
４０  船尾側部分
４１〜５０  船尾側の帯状板部材
【図１】
0005778572.tif 000002
【図２】
0005778572.tif 000003
【図３】
0005778572.tif 000004
【図４】
0005778572.tif 000005
【図５】
0005778572.tif 000006
【図６】
0005778572.tif 000007